(57)【要約】【課題】帯状に成形された意匠シートが変形、移動することなく意匠性を保ったまま作業ができ、生産作業性に優れ、意匠性の良い冷蔵庫のドアハンドルを得る。【解決手段】冷蔵庫の扉に取り付けられたハンドルボディー３と透明なハンドルカバー４との間に、意匠性を有する意匠シート５を挟み、ハンドルカバー４に設けられ、意匠シート５がはめ込まれる溝４ｂと、ハンドルボディー３の前面にクッション６と、ハンドルボディー３とハンドルカバー４にそれぞれ係合するツメ３ａ、４ｃを備えた。【選択図】図３
2006125667.tif 000002
【特許請求の範囲】
【請求項１】
冷蔵庫の扉に取り付けられたハンドルボディーと透明なハンドルカバーとの間に、意匠性を有する意匠シートを挟んだ冷蔵庫のドアハンドルにおいて、
前記ハンドルカバーの背面に前記意匠シートがはめ込まれる溝を備えたことを特徴とする冷蔵庫のドアハンドル。
【請求項２】
前記ハンドルボディーの前面にクッションを備え、前記意匠シートは前記クッションにより押さえ付けられて前記ハンドルカバーの溝に密着することを特徴とする請求項１記載の冷蔵庫のドアハンドル。
【請求項３】
前記ハンドルボディーと前記ハンドルカバーにそれぞれ係合するツメを備え、
前記ハンドルカバーを前記ハンドルボディーから取り外して、前記意匠シートを交換可能にしたことを特徴とする請求項１または２記載の冷蔵庫のドアハンドル。
【発明の詳細な説明】
【技術分野】
【０００１】
この発明は、冷蔵庫のドアハンドルに係り、特に、ハンドルボディーと透明なハンドルカバーとの間に意匠シートを挟んだ冷蔵庫のドアハンドルに関する。
【背景技術】
【０００２】
従来の冷蔵庫のドアハンドルの構造は、透明なハンドルカバーの裏面に、意匠を印刷された平板状で薄膜の意匠シートが圧着、または適当な隙間を設けて結合され、上記ハンドルカバーがハンドルボディーに結合されている（例えば、特許文献１参照）。
【０００３】
【特許文献１】実開昭６２−１７１７８９号公報（第４−６頁、第１−２図）
【発明の開示】
【発明が解決しようとする課題】
【０００４】
従来の冷蔵庫のドアハンドルは、意匠性を備えた薄膜の意匠シートを透明なハンドルカバーの裏面に圧着、または適当な隙間を設けて結合し、ハンドルカバーをハンドルボディーに結合することで形成されている。通常、冷蔵庫のドアハンドルは手を掛けて使用することから長手の部品として成形されるため、これに合せて意匠シートは帯状に成形されるためにそれ自身に強度が無く、ハンドルカバーをハンドルボディーに結合する際に、帯状の意匠シートが変形、及び移動しやすく、意匠面の位置ずれや薄膜にしわが寄る等の問題があった。
また、一つのドアハンドルの構成において意匠シートの厚みが限定されるため意匠シートの素材選定に制約がある欠点があり、また、ユーザーが自由に意匠を変更できない問題があった。
【０００５】
この発明は、上記のよう課題を解決するためになされたもので、第１の目的は帯状に成形された意匠シートが変形、移動することなく意匠性を保ったまま作業ができ、生産作業性に優れ、意匠性の良い冷蔵庫のドアハンドルを得るものである。
【０００６】
また、第２の目的は意匠シートの素材を制約することなくユーザー自身によって好みの意匠シートに交換できる冷蔵庫のドアハンドルを得るものである。
【課題を解決するための手段】
【０００７】
この発明に係る冷蔵庫のドアハンドルは、冷蔵庫の扉に取り付けられたハンドルボディーと透明なハンドルカバーとの間に、意匠性を有する意匠シートを挟んだ冷蔵庫のドアハンドルにおいて、前記ハンドルカバーの背面に前記意匠シートがはめ込まれる溝を備えたものである。
【発明の効果】
【０００８】
この発明は、ハンドルカバーの背面に意匠シートがはめ込まれる溝を備えたので、意匠シートが変形、移動することなく意匠性を保ったまま組立作業ができ、生産作業性に優れ、意匠性の良いドアハンドルを得ることができる。
【発明を実施するための最良の形態】
【０００９】
図１はこの発明の実施の形態における冷蔵庫の正面図、図２は図１における冷蔵庫のドアハンドルの正面図、及び側面図、図３は図２に示すドアハンドルのＡ−Ａ断面図である。
図において、冷蔵庫のドアパネル２にハンドルボディー３は取り付けられ、ハンドルボディー３の前面にハンドルカバー４が取り付けられる。ハンドルカバー４は、透明な樹脂成形品であり、内側に帯状の薄い意匠シート５（例えば０．１〜０．５ｍｍの厚さ）がはめ込まれる溝４ｂが設けられ、両側面の端部にツメ４ｃが設けられている。また、ハンドルボディー３のハンドルカバー４が取り付けられる面にスボンジ状のクッション６（例えば、２ｍｍ位の厚さで、組み付け後の圧縮状態では１ｍｍ位）が糊付け等により固定され、両側面の端部にハンドルカバー４のツメ４ｃに係合するツメ３ａが設けられている。そして、ハンドルカバー４はツメ４ｃがハンドルボディー３のツメ３ａに係止されてハンドルボディー３と結合されてドアハンドル１を形成している。
【００１０】
次にこの発明の実施の形態を示す冷蔵庫のドアハンドルの組立及び動作について説明する。
まず、ハンドルボディー３のハンドルボディー３の前面側にクッション６を固着し、これをドアパネル２に取り付ける。一方、透明なハンドルカバー４の溝４ｂに帯状の薄膜シートとなっている意匠シート５をはめ込む。溝４ｂは樹脂成形品であるので弾性により意匠シート５が挟みこまれ固定される。このためドアハンドル組立作業において前組しておくことが可能となり、また、意匠シート５が変形、移動することなく意匠性を保ったまま組立作業ができる。次に、意匠シート５を取付けたハンドルカバー４をハンドルボディー３にはめ込むと、ハンドルカバー４はツメ４ｃがハンドルボディー３のツメ３ａに係止されドアハンドル１が形成される。
【００１１】
ドアハンドル１が形成された状態において、意匠シート５はハンドルボディー３に設けられたクッション６の弾力によってハンドルカバー４に密着する。
ハンドルカバー４はツメ４ｃを起こすことによりユーザーの手でハンドルボディー３から取り外しが可能である。
【００１２】
以上のように、ハンドルカバー４の背面に意匠シート５がはめ込まれる溝４ｂを備えたので、意匠シート５が変形、移動することなく意匠性を保ったまま組立作業ができ、生産作業性に優れ、コストが低減でき、意匠性の良い冷蔵庫のドアハンドルを得ることができる。
【００１３】
また、ハンドルボディー３の前面にクッション６を備え、意匠シート５はクッション６により押さえ付けられてハンドルカバ４ーの溝に密着するので、意匠シート５はクッション６の弾力によってハンドルカバー４の溝に密着し、意匠シートの厚みや素材を自由に選ぶことが可能となり、意匠シート５の厚みの制約を緩くすることができる。
【００１４】
また、ハンドルボディー３とハンドルカバー４にそれぞれ係合するツメ３ａ、４ａを備え、ハンドルカバー４をハンドルボディー３から取り外して、意匠シート５を交換可能にしたので、ユーザー自身の手によって意匠シート５の形状に合せて包装紙等を加工することによりユーザーの好みの意匠シート５を作成して意匠シート５を取り替えることでドアハンドル１の意匠を変更することができ、ユーザー好みの冷蔵庫に仕立てることができる。
また、ハンドルカバー４はハンドルボディー３の前面側に位置するので、ユーザーが外しやすい。
【図面の簡単な説明】
【００１５】
【図１】この発明の実施の形態を示す冷蔵庫のドアハンドルを有する冷蔵庫の正面図である。
【図２】この発明の実施の形態を示す冷蔵庫のドアハンドルの正面図、及び側面図である。
【図３】図２における断面Ａ−Ａの断面図である。
【符号の説明】
【００１６】
１  ドアハンドル、２  ドアパネル、３  ハンドルボディー、３ａ  ハンドルボディーのツメ、４  ハンドルカバー、４ｂ  溝、４ｃ  ハンドルカバーのツメ、５  意匠シート、６  クッション。
【図１】
2006125667.tif 000003
【図２】
2006125667.tif 000004
【図３】
2006125667.tif 000005